【事件の表示】
　平成１１年特許願第１６７５４５号「ゲートバルブ」拒絶査定不服審判事件〔平成１２年１２月２６日出願公開、特開２０００−３５６２７１〕について、次のとおり審決する。
【結　論】
　本件審判の請求は、成り立たない。
【理　由】
１．手続の経緯・本願発明
　本願は、平成１１年６月１４日の出願であって、本願の請求項１〜８に係る発明は、平成１４年２月８日付けと平成１４年７月３１日付けと平成１４年１２月９日付けの手続補正書により補正された明細書並びに図面の記載からみて、その特許請求の範囲の請求項１〜８に記載された事項によって特定されるものであるところ、その請求項１に係る発明は、次のとおりのもの（以下請求項１に係る発明を、「本願発明」という。）と認める。
　「駆動源と、
　前記駆動源の駆動軸に連結され、該駆動源の駆動作用下に軸線方向に沿って変位する第１変位部材と、
　前記第１変位部材と一体的に軸線方向に沿って変位するとともに、軸線方向に沿った変位終端位置において傾動自在に設けられた第２変位部材と、
　前記第２変位部材に連結された弁ロッドを介して通路を開閉する弁ディスクと、
　前記第１変位部材と第２変位部材とを変位方向に沿って位置決めした状態で一体的に保持する位置決め保持手段と、
　前記第２変位部材と一体的に変位し、軸線方向に沿った変位終端位置において該第２変位部材が傾動する際に支点となる支持部材と、
　を備え、
　前記位置決め保持手段は、前記第１変位部材と第２変位部材との間に介装されたばね部材と、前記第１変位部材の側面に係止されたピン部材と、前記第２変位部材の側面に形成され、前記ピン部材が係合する係合用溝部とを含むことを特徴とするゲートバルブ。」
　
２．引用刊行物及びその記載事項
　これに対して、原査定の拒絶の理由に引用された、本願の出願前に日本国内において頒布された特開平９−２６９０７２号公報（以下、「引用例」という。）には「半導体製造装置用無摺動ゲートバルブ」に関して、第１〜６図とともに以下の記載がある。
　Ａ）「【００１５】
・・・図１，図２において、１はボデイ、２はボデイ１の前面側に設けられた流路口３を開閉するゲートで、・・・ゲート２の上縁中央に接続されたステム８は、ボデイ１の上面に固設されたボンネット１１の中央透孔１２の下側周縁にフランジ１３が固設されて立設されたベローズ１４に挿通の上、ベローズ１４の上端に結合されたステムホルダー１５に支持されている。・・・ステムホルダー１５の左右両側下部には支点ローラー１８が軸支されている。この左右の支点ローラー１８は夫々前記ボンネット１１上の左右両側に立設されたシリンダー１９のハウジング２０の外側面の垂直溝２１に上下動可能に嵌合されている。左右両側のシリンダー１９のピストンロッド２２の上端にはカムプレート２３の左右両端部が結合されている。カムプレート２３の下側には後述するカム用ローラー２４を前後方向に移動させるように図３に示すカム溝２５を設けたローラーカム２６が左右一対設けられている。この左右一対のローラーカム２６のカム溝２５に、前記カムプレート２３の中央部下側に上下動可能に配され前記ステム８の上端に結合されたローラーホルダー２７に保持せる左右一対のカム用ローラー２４が係合されている。前記ステムホルダー１５の左右両側上面の後端部にはスプリング用フック２８が設けられ、前記ローラーカム２６の左右両側下面の前端部にはスプリング用フック２９が設けられ、これらスプリング用フック２８，２９間に夫々前後方向に伸縮するようにスプリング３０が張設されている。」
　Ｂ）「【００１７】前記シリンダー１９の図１に示すストロークＡは、ゲート２の図２に示すストロークＢにローラーカム２６の図３に示す作動ストロークＣを加えたもので、作動ストロークＣは図３に示す水平方向の動きＤに変換されるものである。」
　Ｃ）「【００１８】・・・無摺動ゲートバルブを閉じるには、左右両側のシリンダー１９の上室にエアーを供給し、ピストンロッド２２の上端に結合されたカムプレート２３を図４，図５に示すように下降し、このカムプレート２３と一体のローラーカム２６を下降し、カム溝２５に保持されたカム用ローラー２４を介してローラーホルダー２７を下降し、これに結合されたステム８を下降し、ステム８と一体のゲート２を下降する。ゲート２がボデイ１の流路口３に対面するレベルまで下降すると、ベローズ１４を圧縮して下降したステムホルダー１５の左右両側下部に軸支された支点ローラー１８がシリンダー１９のハウジング２０の外側面の垂直溝２１の下端で停止し、ステムホルダー１５に保持されたステム８の下降も停止する結果、ゲート２はストロークＢで下降が停止する。さらにシリンダー１９の作動によりカムプレート２３が下降し、これと一体のローラーカム２６が図３に示すストロークＣだけ下降すると、カム溝２５によりカム用ローラー２４を後方にＤだけ水平移動する結果、カム用ローラー２４を保持せるローラーホルダー２７が結合されたステムホルダー１５はその左右両側下部の支点ローラー１８を支点にして図６に示すように傾動し、ステム８が後方に傾いて表面にテーパが付されたゲート２の表面が垂直となって流路口３を閉じることになる。この時ゲート２の表面周縁部のＯリング４は流路口３の周縁部に密着し、確実にシールすることになる。」
　Ｄ）「【００１９】次に無摺動ゲートバルブを開く場合について説明すると、左右両側のシリンダー１９の下室にエアーを供給し、ピストンロッド２２の上端に結合されたカムプレート２３を図４，図５に示すように上昇し、このカムプレート２３と一体のローラーカム２６を図３に示すストロークＣだけ上昇すると、カム溝２５に保持されたカム用ローラー２４を前方にＤだけ水平移動する結果、カム用ローラー２４を保持せるローラーホルダー２７が結合されたステム８を保持せるステムホルダー１５はその左右両側下部の支点ローラー１８を支点にして回動し垂直に起立し、ステム８も垂直に起立してゲート２が流路口３の周縁より離れる。さらに左右両側のシリンダー１９の作動によりカムプレート２３を上昇し、カムプレート２３と一体のローラーカム２６を上昇すると、カム溝２５に保持されたカム用ローラー２４を介してローラーホルダー２７が上昇し、これに結合されたステム８を保持せるステムホルダー１５がベローズ１４を伸長して上昇し、ステムホルダー１５に保持されたステム８と一体のゲート２が上昇する。ゲート２がボデイ１の流路口３を開放するレベルまでストロークＢだけ上昇すると、シリンダー１９のストロークがＡ＝Ｂ＋Ｃの上昇限となり、ゲート２の上昇は停止する。」
　
　上記Ａ）〜Ｄ）の記載からみて、上記引用例の半導体製造装置用無摺動ゲートバルブは、駆動源であるシリンダー１９のピストンロッド２２に連結されたカムプレート２３と、シリンダー１９の駆動によりカムプレート２３と一体的に軸線方向に変位し、その変位終端位置において傾動するステムホルダー１５と、ステムホルダー１５に連結されたステム８を介して流路口３を開閉するゲート２とを備え、ステムホルダー１５と一体となったステム８の上端に結合されたローラーホルダー２７の側面には、左右一対のカム用ローラー２４が保持されるとともに、カムプレート２３の下側には、側面にカム用ローラー２４が係合するカム溝２５を設けた左右一対のローラーカム２６が設けられ、さらに、ステムホルダー１５の左右両側下部には、ステムホルダー１５と一体的に変位してステムホルダー１５が傾動する際の支点となる支点ローラー１８が軸支されているものと認められる。
　また、特に上記Ｃ）、Ｄ）の記載と第３図とからみて、上記カムプレート２３とステムホルダー１５とは、両者の間に介装されたスプリング３０によって前記カム用ローラー２４が前記カム溝２５に押し付けられることにより、変位方向に沿って位置決めされた状態で一体的に保持されるから、これらスプリング３０とカム用ローラー２４とカム溝２５とは、カムプレート２３とステムホルダー１５とを変位方向に沿って位置決めした状態で一体的に保持する位置決め保持手段として機能しているものと認められ、さらにこれらスプリング３０とカム用ローラー２４とカム溝２５とは、軸線方向に沿った変位終端位置においてステムホルダー１５の下降が停止した後、カムプレート２３がさらに下降してカム溝２５によりカム用ローラー２４を後方にＤだけ水平移動させ、これによりステムホルダー１５が支点ローラー１８を支点にして傾動するときの傾動手段としても機能しているものと認められる。
　したがって、上記引用例には、
　「シリンダー１９と、
　前記シリンダー１９のピストンロッド２２に連結され、該シリンダー１９の駆動作用下に軸線方向に沿って変位するカムプレート２３と、
　前記カムプレート２３と一体的に軸線方向に沿って変位するとともに、軸線方向に沿った変位終端位置において傾動自在に設けられたステムホルダー１５と、
　前記ステムホルダー１５に連結されたステム８を介して流路口３を開閉するゲート２と、
　前記カムプレート２３とステムホルダー１５とを変位方向に沿って位置決めした状態で一体的に保持する位置決め保持手段と、
　前記ステムホルダー１５と一体的に変位し、軸線方向に沿った変位終端位置において該ステムホルダー１５が傾動する際に支点となる支点ローラー１８と、
　を備え、
　前記位置決め保持手段は、前記カムプレート２３とステムホルダー１５との間に介装されたスプリング３０と、前記ステムホルダー１５と一体のローラーホルダー２７の側面に保持されたカム用ローラー２４と、前記カムプレート２３のローラーカム２６の側面に形成され、前記カム用ローラー２４が係合するカム溝２５とを含むゲートバルブ。」の発明（以下、「引用例記載の発明」という。）が記載されているものと認める。
　
３．本願発明と引用例記載の発明との対比
　本願発明と引用例記載の発明とを対比すれば、引用例記載の発明の「シリンダー１９」，「ピストンロッド２２」，「カムプレート２３」，「ステムホルダー１５」，「ステム８」，「流路口３」，「ゲート２」，「支点ローラー１８」，「スプリング３０」は、それぞれ本願発明の「駆動源」，「駆動軸」，「第１変位部材」，「第２変位部材」，「弁ロッド」，「通路」，「弁ディスク」，「支持部材」，「ばね部材」に相当しているとともに、引用例記載の発明の「ローラーカム２６」，「ローラーホルダー２７」は、それぞれ「カムプレート２３」，「ステムホルダー１５」と一体の部材として、本願発明の「第１変位部材」，「第２変位部材」に相当している。さらに、引用例記載の発明の「カム用ローラー２４」，「カム溝２５」は、本願発明の「ピン部材」，「係合用溝部」に対応する「係合部材」，「係合溝」である。
　
　したがって、本願発明は引用例記載の発明と、
 「駆動源と、
　前記駆動源の駆動軸に連結され、該駆動源の駆動作用下に軸線方向に沿って変位する第１変位部材と、
　前記第１変位部材と一体的に軸線方向に沿って変位するとともに、軸線方向に沿った変位終端位置において傾動自在に設けられた第２変位部材と、
　前記第２変位部材に連結された弁ロッドを介して通路を開閉する弁ディスクと、
　前記第１変位部材と第２変位部材とを変位方向に沿って位置決めした状態で一体的に保持する位置決め保持手段と、
　前記第２変位部材と一体的に変位し、軸線方向に沿った変位終端位置において該第２変位部材が傾動する際に支点となる支持部材と、
　を備え、
　前記位置決め保持手段は、前記第１変位部材と第２変位部材との間に介装されたばね部材と、前記第１変位部材側，第２変位部材側の側面に形成された係合部材，係合溝とを含むゲートバルブ」
　である点で一致し、以下の相違点で相違しているものと認める。
　＜相違点＞
　本願発明の「係合部材」は、第１変位部材の側面に係止されたピン部材であり、「係合溝」は、第２変位部材の側面に形成された係合用溝部であるのに対し、上記引用例記載の発明の「係合部材」は、ステムホルダー１５と一体のローラーホルダー２７（第２変位部材）の側面に保持されたカム用ローラー２４であり、「係合溝」は、カムプレート２３のローラーカム２６（第１変位部材）の側面に形成されたカム溝２５である点。
　
４．相違点の検討
　相対移動する２つの部材の間に係合部材と係合溝とを設けるのに、これら係合部材と係合溝を前記２つの部材のそれぞれどちら側に設けるかは当業者が適宜選択しうる設計事項であるとともに、係合部材をどのような形で形成するか（ピン部材とするかローラーとするか）も当業者が適宜選択しうる設計事項である。さらに、係合部材を「係止」するのも「保持」するのも、「取り付ける」という点においては何ら変わりがない。
　してみれば、上記引用例記載の発明において、「係合部材」をピン部材として、これを第１変位部材であるカムプレート２３のローラーカム２６の側面に係止し、「係合溝」を第２変位部材であるステムホルダー１５と一体のローラーホルダー２７の側面に設けることは、当業者が必要に応じて適宜容易に行うことができたものである。
　
　また本願発明は、上記引用例記載の発明のようなハウジング２０の外側面の垂直溝２１を有するものを除外するものでないから、本願発明が奏する作用効果は、上記引用例記載の発明に示唆された事項から予測される程度以上のものではない。
　したがって、本願発明は、上記引用例記載の発明に基づいて当業者が容易に発明をすることができたものである。
　
５．むすび
　以上詳述したとおり、本願の請求項１に係る発明は、上記引用例記載の発明と上記各周知技術に基づいて当業者が容易に発明をすることができたものであるから、特許法第２９条第２項の規定により特許を受けることができない。そして、このような進歩性を有しない発明を包含する本願は、本願の請求項２〜８に係る発明について検討するまでもなく拒絶すべきものである。
　よって、結論のとおり審決する。